(57)【要約】【課題】本発明は、帽子用としてのアイロン台に帽子を被せることによって自動的にアイロンが行える業務用アイロン装置を提供することを目的とするものである。【解決手段】本発明の業務用アイロン装置１は、基台２上に複数個併置されるアイロン台３と、旋回可能なアーム４およびこのアーム４先端に形成されるプレス冠部５を備えるプレス部６とから構成されるものである。【選択図】        図１
2004267239.tif 000002
【特許請求の範囲】
【請求項１】
帽子が被せられるアイロン台と、
該アイロン台上面よりスチームを噴出させるスチーム噴出手段と、
アームの先端に設けられ、該アームの旋回によって自在に前記アイロン台をプレスするプレス冠部と、
該プレス冠部を加熱する加熱手段とを備える
ことを特徴とする業務用アイロン装置。
【請求項２】
前記プレス冠部を水平状態より昇降スライド可能な昇降手段を備えた
ことを特徴とする請求項１記載の業務用アイロン装置。
【請求項３】
前記アイロン台上面より噴出させたスチームを吸引する吸引手段をアイロン台に備える
ことを特徴とする請求項１又は２記載の業務用アイロン装置。
【発明の詳細な説明】
【０００１】
【発明の属する技術分野】
本発明は業務用アイロン装置に関する。詳しくは帽子を自動的にプレスアイロンをする業務用アイロン装置に係るものである。
【０００２】
【従来の技術】
従来、この種の業務用の自動プレスアイロンとして例えば図９に示すものがある（例えば、特許文献１参照。）。この業務用アイロンは、ベース１０１に立設した支柱１０２にアイロン台１０３を横方向に取り付け、アイロン台１０３上方側の支柱１０２にはアーム１０４を横方向に、かつ昇降スライド可能に取り付け、アーム１０４には昇降移動して自重によりアイロン台１０３をプレスするこて１０５を水平スライド可能に取り付ける。
【０００３】
そこでアーム１０４をアイロン台１０３に向けて下降させ、アイロン台１０３に当接したこて１０５が上昇し、こて１０５の荷重がアイロン台１０３にのった段階でアーム１０４の下降を停止してこて１０５の水平スライドさせると、過大な加圧、加熱を服類に及ぼすことなくアイロン処理を行える。
【０００４】
【特許文献１】
特開平６−２６９６００号公報（第１図参照。）
【０００５】
【発明が解決しようとする課題】
前記構成の自動プレスアイロンでは平面状の服類などに対してはプレスアイロンとしての効果を得ることが可能となるものであるが、帽子などのように曲率形状のものに対しては適用できない問題がある。
【０００６】
しかしながら食品工場、病院又は厨房などにおける業務用帽子は衛生上の観点から年々増える傾向にあり、帽子のアイロンは図１０に示すように、半円形球状のアイロン台１０６に帽子１０７を被せて作業者がアイロン１０８を持上げながら、アイロン１０８によって帽子１０７をアイロン台１０６に押し付けながらアイロンを行っているのが現状である。
【０００７】
このように帽子のアイロンの自動化はされておらず、非効率的であると共に、非常に重労働となる問題がある。
【０００８】
本発明は、以上の点に鑑みて創案されたものであって、帽子用としてのアイロン台に帽子を被せることによって自動的にアイロンが行える業務用アイロン装置を提供することを目的とするものである。
【０００９】
【課題を解決するための手段】
上記の目的を達成するために、本発明に係る業務用アイロン装置は、帽子が被せられるアイロン台と、該アイロン台上面よりスチームを噴出させるスチーム噴出手段と、アームの先端に設けられ、該アームの旋回によって自在に前記アイロン台をプレスするプレス冠部と、該プレス冠部を加熱する加熱手段とを備える。
【００１０】
ここで、プレス冠部はスチームによって常に加熱されており、アイロン台に帽子を被せると共に、アイロン台上面よりスチームを噴出させると同時に加熱されたプレス冠部によって帽子をプレスアイロンする構成とすることで帽子のスチームアイロンの自動化が可能となるものである。
【００１１】
【発明の実施の形態】
以下、本発明の実施の形態を図面を参酌しながら説明し、本発明の理解に供する。
【００１２】
図１に、本発明を適用した業務用アイロン装置の一例を説明するための正面図、図２は図１における側面図を示す。ここで示す業務用アイロン装置１は、基台２上に複数個併置されるアイロン台３と、旋回可能なアーム４およびこのアーム４先端に形成されるプレス冠部５を備えるプレス部６とから構成されるものである。
【００１３】
そこで前記プレス部６の各プレス冠部５はお椀形状に形成されており、このプレス冠部５内には加熱用としてのスチーム管７が配管されている。そしてこのスチーム管７にはスチーム供給管８およびスチーム排出管９がそれぞれ接続され、スチーム発生装置（図示せず。）によって常に高温のスチームが循環される機構となっている。
【００１４】
また、このプレス部６のアーム４の基端には連結用軸１０が装着され、この連結用軸１０が基台２に設けられる昇降部１１の固定軸１２に回転自在な状態で外嵌されている。更に固定軸１２の中央には連動板１３が固着され、この連動板１３の開放端にアーム旋回用駆動シリンダー１４が連結され、このアーム旋回用駆動シリンダー１４によって連動板１３を上下方向へ往復動させることで前記固定軸１２を中心としてアーム４先端のプレス冠部５を垂直から水平方向へ旋回させる構成とするものである。
【００１５】
ここで、前記昇降部１１は基台２に対して垂直方向へ上下移動自在とし、更に基台２側に設けられるプレス冠部上下用駆動シリンダー１５によって水平状態としたプレス冠部５の上下方向への移動を可能とするものである。
【００１６】
次にアイロン台３は図３および図４にそれぞれ示すように、上部が図１に示すプレス冠部５に嵌合可能とされる形状に形成される中空体である。そこでプレス冠部５が嵌合されるアイロン台３上部外周面には無数のスチーム噴出用孔１６が穿孔されると共に仕切り板１７によって加圧室１８が形成される。
【００１７】
また、前記加圧室１８の中央にはスチーム供給・吸気兼用管１９が設けられるものであり、このスチーム供給・吸気兼用管１９は仕切り板１７を貫通した状態で仕切り板１７の下部に接続管２０が突設されるものである。
【００１８】
更に前記アイロン台３の外表面には厚手の布部２１によって被包された構成とするものである。
【００１９】
そこで図５に示すように、アイロン台３内の仕切り板１７の下部に突設される接続管２０に吸気管２２が接続される。この吸気管２２は吸気ポンプ（図示せず。）に接続され、吸気ポンプによって加圧室１８内のスチームとスチーム噴出用孔１６から噴出されて帽子の布地内に沁み込んだ余分なスチームを吸気排出する構成とするものである。
【００２０】
また、吸気管２２内を通してスチーム噴出用管２３が加圧室１８内へ配管される。このスチーム噴出用管２３は図６に示すように、その上端および先端外周面に噴出孔２４が穿孔されるものであり、スチーム噴出用管２３の基端に接続されるスチーム発生装置（図示せず。）により加圧状態のスチームがスチーム噴出用管２３を通して噴出孔２４から加圧室１８内へ噴出・充填されることによりアイロン台３の上面が加熱されると共に、噴出用孔１６からスチームが噴出される構成とするものである。
【００２１】
ここで、プレス冠部およびアイロン台は必ずしも複数個並置する必要性なく、クリーニングする帽子が常に少ない場合にはプレス冠部およびアイロン台を単体とした構成であっても良い。
【００２２】
また、アームを旋回するアーム旋回用駆動シリンダー、あるいは昇降部を垂直方向へ上下移動させるプレス冠部上下用駆動シリンダーは必ずしも油圧シリンダーやエアーシリンダーにより構成される必要性はなく、例えば電動モーターとギヤーとの組み合わせによってアームの旋回やプレス冠部の上下動を行う機構であっても良いが、クリーニング工場ではエアーコンプレッサーが常設されているために、このエアーコンプレッサーを利用したエアーシリンダーを用いることが最も望ましい。
【００２３】
以上の構成より成る本発明では図７に示すように、アイロン台３に帽子Ａを被せ、作動スイッチ（図示せず。）を入れると同時に、アイロン台３内より加圧状態のスチームがスチーム噴出用管２３を通して噴出孔２４から加圧室１８内へ噴出・充填される。
【００２４】
従って加圧室１８内に充填された高温のスチームによってアイロン台３の上面が熱せられることでアイロン台３外表面に被覆される布部２１によって帽子Ａが間接的に熱せられると共に、加圧室１８内の圧力が上がることによりスチーム噴出用孔１６よりスチームが噴出し、布部２１を通して帽子Ａの加湿が行われることとなる。
【００２５】
一方プレス冠部５は加熱用としてのスチーム管７内を循環する高温のスチームによって加熱されている。
【００２６】
ここで図８に示すようにアーム旋回用駆動シリンダー１４によって連動板１３を上方向へ移動させることで前記固定軸１２を中心としてアーム４先端のプレス冠部５を垂直から水平方向へ旋回させる。
【００２７】
そしてプレス冠部上下用駆動シリンダー１５によって水平状態としたプレス冠部５を下方向へ移動させる。この場合にプレス冠部５の内径が、アイロン台３および布部２１並びに帽子Ａの布地厚さによる外径よりも略大き目に形成されていることにより、帽子Ａの頂部付近をアイロン台３上面でプレスアイロンが行われると共に垂直方向へのプレスを行うことによって均一な力を加えることが可能となりプレス時のしわの発生を防止することが可能となる。
【００２８】
次に帽子Ａが前記プレス冠部５によってアイロン台３上面でプレスアイロンされると同時に、スチーム噴出用管２３を通してスチームの供給が停止され、吸気管２２に接続される吸気ポンプ（図示せず。）によって加圧室１８内のスチームとスチーム噴出用孔１６から噴出されて帽子の布地内に沁み込んだ余分なスチームが強制的に吸気排出されることで帽子Ａの余分な湿気が排除される。
【００２９】
そしてプレス冠部上下用駆動シリンダー１５によって水平状態としたプレス冠部５を上方向へ移動させ、アーム旋回用駆動シリンダー１４によって連動板１３を下方向へ移動させることで前記固定軸１２を中心としてアーム４先端のプレス冠部５を水平から垂直方向へ旋回させる。
【００３０】
この場合にプレス冠部５内のスチーム管７内に発生する水滴はスチーム排出管９に接続される吸引ポンプ（図示せず。）によって吸引排出されることとなり、プレス冠部５内の温度を常に一定に保持される構成とされるものである。
【００３１】
このようにして前記工程を繰り返すことによってアイロン台に帽子を被せることによって自動的に帽子のプレスアイロンが行えることとなる。
また、帽子の頂部付近をプレスアイロンすることにより帽子の型を保持することが可能となることから形態の異なる帽子に対しても適用することができる。
【００３２】
【発明の効果】
以上述べて来た如く本発明によれば、アイロン台に帽子を被せることによって自動的にプレスアイロンが可能となり作業効率が大幅に改善されることとなる。
【００３３】
また、アイロン台に対して垂直方向へのプレス冠部の移動機構を設けることによって帽子に対して均一なプレスが可能となりしわの発生を防止することが可能となる。
【００３４】
更に加湿による帽子に含んだ余分な湿気を強制的に排除することによって帽子の乾燥が容易に行えることとなる。
【図面の簡単な説明】
【図１】本発明を適用した業務用アイロン装置の一例を説明するための正面図である。
【図２】図１における側面説明図である。
【図３】本発明を適用したアイロン台の内部構造を示す断面説明図である。
【図４】本発明を適用したアイロン台の噴出用孔の状態を示す図３における平面説明図である。
【図５】本発明を適用したアイロン台にスチーム供給管および吸気管を取り付けた状態を示す断面説明図である。
【図６】図５におけるスチーム供給管の上端部の拡大説明図である。
【図７】本発明を適用した業務用アイロン装置の初期段階における作動状態を示す説明図である。
【図８】本発明を適用した業務用アイロン装置におけるプレス状態を示す説明図である。
【図９】従来のプレスアイロン装置の一例を示す説明図である。
【図１０】従来の帽子の手作業によるアイロンの一例を示す説明図である。
【符号の説明】
１        業務用アイロン装置
２        基台
３        アイロン台
４        アーム
５        プレス冠部
６        プレス部
７        スチーム管
８        スチーム供給管
９        スチーム排出管
１０      連結用軸
１１      昇降部
１２      固定軸
１３      連動板
１４      アーム旋回用駆動シリンダー
１５      プレス冠部上下用駆動シリンダー
１６      スチーム噴出用孔
１７      仕切り板
１８      加圧室
１９      スチーム供給・吸気兼用管
２０      接続管
２１      布部
２２      吸気管
２３      スチーム噴出用管
２４      噴出孔
【図１】
2004267239.tif 000003
【図２】
2004267239.tif 000004
【図３】
2004267239.tif 000005
【図４】
2004267239.tif 000006
【図５】
2004267239.tif 000007
【図６】
2004267239.tif 000008
【図７】
2004267239.tif 000009
【図８】
2004267239.tif 000010
【図９】
2004267239.tif 000011
【図１０】
2004267239.tif 000012